【手続補正書】
【提出日】平成27年4月24日(2015.4.24)
【手続補正１】
【補正対象書類名】明細書
【補正対象項目名】００２２
【補正方法】変更
【補正の内容】
【００２２】
提示する集中殺菌の方法およびシステムに関しては、殺菌のために要求に応じて中央水処理システムのループ上の透析装置の流体入口に供給される温水における温度勾配が低減または除去され得る。図２に示すように、例えば、集中熱殺菌の透析システム１００は、共用の殺菌剤流体供給ループ１０５上の複数の透析装置１０３Ａ〜１０３Ｄにそれぞれ関連する複数の別個の透析装置入口管路１０１Ａ〜１０１Ｄにおける入口温度を監視するように構成される。ループ１０５は、この例では１次ループ１０５Ａと同じである。この例では４つの透析装置が示されているが、透析装置の数は４つに限定されないことを理解されたい。透析装置の数は１つ以上の任意の数であってよいが、このシステムが臨床環境で使用されるときには一般に実用的な見地から概して複数の透析装置（すなわち２つ以上）が含まれることになる。中央水処理システム１０７（「ＣＷＰＳ」）によって温水がループ１０５を通って供給され循環される。この例では、中央水処理システム１０７は、温度コントローラ１０９、ウォータヒータ１１１、およびポンプ装置１１３を備える。中央水処理システム１０７はさらに、例えば水清浄およびろ過処理用のサブ・システムを含むこともできるし、このようなサブ・システム（１１８）と統合することもでき、これらのサブ・システムは、このシステムに適応されるこれらの機能のための業界では一般的なシステムを含み得る。中央水処理システムのこれらの他の含み得るサブ・システムは、本システムの集中熱殺菌機能の例に的を絞るためにここでは詳細には示さないことがある。中央水処理システム１０７は、水流が出口１１６から連続して流出し、ループ１０５を通って流れ、入口１１４で再びシステム１０７に流入するようにこれらの装置を通る連続流体経路を含み得る。ウォータヒータ１１１は、温度コントローラ１０９の制御下で中央水処理システム１０７内を流れる水の温度を調節し得る。中央水処理システム１０７における水の制御された加熱は任意の適切な方法で実施され得る。システム１０７における水の加熱は、例えば、インラインプロセスとして実施されてもよいし、または、同様の流量で水が送り込まれ排出される一方で、加熱中は有限滞留時間にわたって容器内に水が一時的に蓄積され保持されるユニット内の一時的な滞留用の容器またはチャンバを用いることによって実施されてもよい。例えば、米国特許第4,894,164号に示されるような、熱交換機または加熱流体容器構成を用いることができる。この特許第4,894,164号の全体を参照により本明細書に組み込む。ポンプ装置１１３は、ループ１０５を通る水の移動および水の流量を制御し得る。水ポンプ装置の種類は必ずしも限定されない。１つの任意選択肢として、ポンプ装置は、約３フィート／秒よりも速い速度、約４フィート／秒よりも速い速度、約５フィート／秒よりも速い速度、または他の速度のような、線形（層流）流速を維持するのに十分なフローレートを中央ループ１０５において提供し得るものである。任意選択肢として、このループに沿う各透析装置は、洗浄モード中は最大で約１リットル／分まで、例えば、約0.1リットル／分〜約１リットル／分、約0.2リットル／分〜約0.9リットル／分、約0.3リットル／分〜約0.8リットル／分、約0.4リットル／分〜約0.75リットル／分、または他の値で水を引き込み得る。例えば、平均的な診療所で２０〜３０台の透析装置が接続されていると仮定すると、中央ループは最大で３０リットル／分を必要とされ得ることになる。本実施例の水供給システムは、この中央ループの要求を含めてシステムの全体的な所望の水需要を満たすための本明細書で示される管路殺菌温度監視能力を含み得る。操作者は、通知される透析装置入口温度に基づいてループ・パラメータを改変し得る。ループ１０５内の管路圧力は、ループ１０５の流体管路すべてにおいて一定または実質的に一定の値に維持され得る。配管の種類は、それが水密であり、ループ管路を通って循環される温水の温度に耐える限り限定されない。配管は、例えば、配管その他の細長い閉鎖壁管路構造に形成される耐熱の合成樹脂、金属、または他の水密材料とすることができる。任意選択肢として、配管は、ループに沿う配管からのエネルギー損失を最小限に抑えるために断熱性とすることができる。配管の断熱は例えば、配管の実質的な外面領域を覆い、取り囲み、及び／又は包んで配管からの熱損失を低減し得るジャケット、クラッド、ラップ、コーティングおよび／または配管に適した断熱の他の形態のような、外部断熱材料によるものとすることができる。配管断熱材料は、必ずしも限定されず、例えば、エラストマー・フォーム（例えば、フォーム・チューブまたはフォーム・ジャケット）、ＰＶＣ、ガラス・ファイバ・クロス、シリコーン・クロスまたは他の断熱材料とすることができ、これらを個々に用いてもよいし、これらの任意の組合せとしてもよい。配管は、可撓性のものまたは剛性のあるものを問わない。水入口管路１０１Ａ〜１０１Ｄは、中央ループ１０５の１次ループ１０５Ａを透析装置の（図２には示さない）水流系入口ポート、例えば、透析装置の入口ポートに向かう流れのみ許容し得る一方向弁（例えば逆流防止弁）を任意選択で備えるタップ管路のような入力ポートに接続する。任意選択肢として、このループは、透析装置が収容される診療所その他の施設の壁および／または天井の中に組み込むことができる。各透析装置の場所には、例えば、透析装置に取り付けられたホース（例えば、可撓性ホース）を受容する壁弁を設ける。
【手続補正２】
【補正対象書類名】明細書
【補正対象項目名】００３０
【補正方法】変更
【補正の内容】
【００３０】
透析装置の流体入口における温度を監視するのに用いられる温度センサは、透析装置ハウジング内外の、流体入口管路が透析装置の入口ポートと接続されるところに配置され得る。図５に示すように、任意選択肢として、入口温度センサ５１９Ａの場所は、透析装置５０３Ａのハウジング５２０の内部とすることができ、そこは、中央ループ５０５からの入口管路５０１Ａが透析装置５０３Ａの入口ポート５２１と接続されるところである。内部に配置された温度センサ５１９Ａは、感知される温度データを、例えば、バス接続などの電気的な接続によって機能プロセッサ・ボード５１０に送信し得る。このバス接続は、データ接続の形態として使用される場合、例えば、シリアル・バス、Ｉ２Ｃバス、またはCANバス、あるいは他の適切なデータ接続とすることができる。機能プロセッサ・ボード５１０は、図２に示すような有線または無線のデータ接続（１２５）を介して全体システム・プロセス・コントローラ（１１７）に信号を中継し得る。任意選択肢として、センサNTC1  ５２３が、入口水温前段透析器を測定するのに用いられ得る。熱殺菌の状況では、例えば、センサNTC1  ５２３は、中央ループによって提供される入口の水温を監視し得る。センサNTC1  ５２３は、例えば、入口管路５０１Ａのセンサ５１９などの、流体経路内に設けられる負の温度係数の感知要素を有し得る。感知される入口水温に基づく信号が、センサ５１９または他の外部感知コンポーネントから有線または無線５２４を介してセンサNTC1  ５２３に送信され得る。感知される「インターフェース」５２５は、例えば、センサNTC1  ５２３からのアナログ小信号を機能プロセッサ・ボード５１０によって監視されるデジタル値５２７に変換し得るアナログ−デジタル信号変換器などのアナログ電子回路を指す。このような任意選択肢で示すように、入口水温センサは、感知される入口水温に基づくアナログ信号を出力するように動作可能とすることができる。先に示したように、インターフェース５２５などのアナログ−デジタル信号プロセッサは、例えば、温度センサによって出力されるアナログ信号を監視システムによって処理するためのデジタル信号に変換するために用いられ得る。あるいは、アナログ−デジタル信号プロセッサが用いられる場合、それを温度センサ自体または機能プロセッサ・ボードと統合することもできるし、または、類似の機能を提供する他の構成で用いることもできる。別の任意選択肢として、流体入口用の入口温度センサは、センサ５１９として示されるように、ハウジング５２０の外側の入口管路５０１Ａ上に配置され、入口管路５０１Ａ内で感知される水温に関する信号を処理及び監視のための機能プロセッサ・ボード５１０に直接送信することができる。外部に配置された温度センサ５１９は、感知される温度データを、例えば、シリアス・バスまたはユニバーサル・シリアル・バス（ＵＳＢ）あるいは他の適切なデータ接続などの、機能プロセッサ・ボード５１０に対してなされる電気的な接続によって送信し得る。透析装置５０３Ａは、図２および図３に示す中央水処理システム１０７の中央ループ１０５上の透析装置１０３Ａまたは他の透析装置１０３Ｂ〜１０３Ｄおよび２０４Ａ〜２０４Ｂのいずれかを代表するものとすることができる。同じ中央ループ５０５に沿う他の透析装置は透析装置５０３Ａと類似の構成を有し得る。
【手続補正３】
【補正対象書類名】図面
【補正対象項目名】図１
【補正方法】変更
【補正の内容】
【図１】
2014524766.tif 000001
【手続補正４】
【補正対象書類名】図面
【補正対象項目名】図２
【補正方法】変更
【補正の内容】
【図２】
2014524766.tif 000002
【手続補正５】
【補正対象書類名】図面
【補正対象項目名】図３
【補正方法】変更
【補正の内容】
【図３】
2014524766.tif 000003